【手続補正書】
【提出日】平成22年4月27日(2010.4.27)
【手続補正１】
【補正対象書類名】特許請求の範囲
【補正対象項目名】全文
【補正方法】変更
【補正の内容】
【特許請求の範囲】
【請求項１】
第１の基板と第２の基板との間に配置された液晶層と、
前記第１の基板に第１の層として形成され、データラインが延伸する方向に対して平行な方向に延伸する一辺を有し、スイッチング素子を介して前記データラインに電気的に接続される第１の電極と、
前記第１の基板に前記第１の層とは異なる第２の層として形成され、前記第１の電極と重なる領域の少なくとも一部に第１のスリット及び第２のスリットが形成されている第２の電極と、
を備え、
前記第１のスリットは、前記一辺が延伸する方向に対して傾斜した方向に延伸する第１の延長部と、前記一辺に対する角度が前記第１の延長部に対して対称な角度になる方向に延伸する第２の延長部と、前記第１の延長部と前記第２の延長部とを連通させる屈曲部と、を有し、
前記第２のスリットは、前記第１の延長部に対して平行に形成された第３の延長部と、前記第２の延長部に対して平行に形成され前記第３の延長部とは分離された第４の延長部と、を有している液晶表示素子。
【請求項２】
前記第２の電極は、前記第１のスリットと同一の形状の他のスリットが、前記第１のスリットに対して平行になるように、複数形成されている、請求項１に記載の液晶表示素子。
【請求項３】
前記第１のスリットと同一の形状に形成された前記他のスリットは、前記第１の電極と重なる領域に形成されている、請求項２に記載の液晶表示素子。
【請求項４】
前記第１のスリットと同一の形状に形成された前記他のスリットは、前記第１のスリットに対して前記第２のスリットが形成されている側とは異なる側に配置されている、請求項２に記載の液晶表示素子。
【請求項５】
前記第１の電極は、前記データラインと重ならないように配置されている、請求項１から４のいずれかに記載の液晶表示素子。
【請求項６】
前記第１の層と前記第２の層との間に第３の層として絶縁膜が形成され、
前記第１の電極と前記第２の電極とが互いに電気的に絶縁されている、請求項１から５のいずれかに記載の液晶表示素子。
【請求項７】
前記第２の層が前記第１の層よりも前記液晶層側に配置されている、請求項１から６のいずれかに記載の液晶表示素子。
【請求項８】
前記第１のスリットは、前記第１の延長部の長さと前記第２の延長部の長さとが等しい、請求項１から７のいずれかに記載の液晶表示素子。
【請求項９】
前記第２のスリットは、前記第３の延長部の長さと前記第４の延長部の長さとが等しい、請求項１から８のいずれかに記載の液晶表示素子。
【請求項１０】
前記第１のスリットは、前記第１の延長部の長さが前記第２のスリットにおける前記第３の延長部の長さよりも長い、請求項１から９のいずれかに記載の液晶表示素子。
【請求項１１】
前記第１のスリットは、前記第１の延長部と前記屈曲部と前記第２の延長部とが直列的に連通している、請求項１から１０のいずれかに記載の液晶表示素子。
【請求項１２】
第１の基板と第２の基板との間に配置された液晶層と、
前記第１の基板に第１の層として形成され、データラインが延伸する方向に対して平行な方向に延伸する一辺を有し、薄膜トランジスタを介して前記データラインに電気的に接続される画素電極と、
前記第１の基板に前記第１の層とは異なる第２の層として形成され、前記画素電極と重なる領域の少なくとも一部に第１のスリット及び第２のスリットが形成されている共通電極と、
を備え、
前記第１のスリットは、前記一辺が延伸する方向に対して傾斜した方向に延伸する第１の延長部と、前記一辺に対する角度が前記第１の延長部に対して対称な角度になる方向に延伸する第２の延長部と、前記第１の延長部と前記第２の延長部とを連通させる屈曲部と、を有し、
前記第２のスリットは、前記第１の延長部に対して平行に形成された第３の延長部と、前記第２の延長部に対して平行に形成され前記第３の延長部とは分離された第４の延長部と、を有している液晶表示素子。
【請求項１３】
第１の基板と第２の基板との間に配置された液晶層と、
前記第１の基板に第１の層として形成され、データラインが延伸する方向に対して平行な方向に延伸する一辺を有し、スイッチング素子を介して前記データラインに電気的に接続される第１の電極と、
前記第１の基板に前記第１の層とは異なる第２の層として形成され、前記第１の電極と重なる領域の少なくとも一部に第１のスリット、第２のスリット及び第３のスリットが形成されている第２の電極と、
を備え、
前記第１のスリットは、前記一辺が延伸する方向に対して傾斜した方向に延伸する第１の延長部と、前記一辺に対する角度が前記第１の延長部に対して対称な角度になる方向に延伸する第２の延長部と、前記第１の延長部と前記第２の延長部とを連通させる第１の屈曲部と、を有し、
前記第２のスリットは、前記第１の延長部に対して平行に且つ前記第１の延長部よりも短く形成された第３の延長部と、前記第２の延長部に対して平行に且つ前記第２の延長部よりも短く形成され前記第３の延長部とは分離されている第４の延長部と、を有し、
前記第３のスリットは、前記第１の延長部に対して平行に且つ前記第１の延長部よりも短く形成された第５の延長部と、前記第２の延長部に対して平行に且つ前記第２の延長部よりも短く形成された第６の延長部と、前記第５の延長部と前記第６の延長部とを連通させる第２の屈曲部と、を有している液晶表示素子。
【請求項１４】
前記第１のスリットは、前記第２のスリットと前記第３のスリットとの間に配置されている、請求項１３に記載の液晶表示素子。
【手続補正２】
【補正対象書類名】明細書
【補正対象項目名】０００６
【補正方法】変更
【補正の内容】
【０００６】
上記目的を達成するために、請求項１に記載の発明は、第１の基板と第２の基板との間に配置された液晶層と、前記第１の基板に第１の層として形成され、データラインが延伸する方向に対して平行な方向に延伸する一辺を有し、スイッチング素子を介して前記データラインに電気的に接続される第１の電極と、前記第１の基板に前記第１の層とは異なる第２の層として形成され、前記第１の電極と重なる領域の少なくとも一部に第１のスリット及び第２のスリットが形成されている第２の電極と、を備え、前記第１のスリットは、前記一辺が延伸する方向に対して傾斜した方向に延伸する第１の延長部と、前記一辺に対する角度が前記第１の延長部に対して対称な角度になる方向に延伸する第２の延長部と、前記第１の延長部と前記第２の延長部とを連通させる屈曲部と、を有し、前記第２のスリットは、前記第１の延長部に対して平行に形成された第３の延長部と、前記第２の延長部に対して平行に形成され前記第３の延長部とは分離された第４の延長部と、を有していることを特徴とする。
【手続補正３】
【補正対象書類名】明細書
【補正対象項目名】０００７
【補正方法】変更
【補正の内容】
【０００７】
請求項２に記載の発明は、請求項１に記載の液晶表示素子において、前記第２の電極は、前記第１のスリットと同一の形状の他のスリットが、前記第１のスリットに対して平行になるように、複数形成されていることを特徴とする。
【手続補正４】
【補正対象書類名】明細書
【補正対象項目名】０００８
【補正方法】変更
【補正の内容】
【０００８】
請求項３に記載の発明は、請求項２に記載の液晶表示素子において、前記第１のスリットと同一の形状に形成された前記他のスリットは、前記第１の電極と重なる領域に形成されていることを特徴とする。
【手続補正５】
【補正対象書類名】明細書
【補正対象項目名】０００９
【補正方法】変更
【補正の内容】
【０００９】
請求項４に記載の発明は、請求項２に記載の液晶表示素子において、前記第１のスリットと同一の形状に形成された前記他のスリットは、前記第１のスリットに対して前記第２のスリットが形成されている側とは異なる側に配置されていることを特徴とする。
【手続補正６】
【補正対象書類名】明細書
【補正対象項目名】００１０
【補正方法】変更
【補正の内容】
【００１０】
請求項５に記載の発明は、請求項１から４のいずれかに記載の液晶表示素子において、前記第１の電極は、前記データラインと重ならないように配置されていることを特徴とする。
請求項６に記載の発明は、請求項１から５のいずれかに記載の液晶表示素子において、前記第１の層と前記第２の層との間に第３の層として絶縁膜が形成され、前記第１の電極と前記第２の電極とが互いに電気的に絶縁されていることを特徴とする。
請求項７に記載の発明は、請求項１から６のいずれかに記載の液晶表示素子において、前記第２の層が前記第１の層よりも前記液晶層側に配置されていることを特徴とする。
請求項８に記載の発明は、請求項１から７のいずれかに記載の液晶表示素子において、前記第１のスリットは、前記第１の延長部の長さと前記第２の延長部の長さとが等しいことを特徴とする。
請求項９に記載の発明は、請求項１から８のいずれかに記載の液晶表示素子において、前記第２のスリットは、前記第３の延長部の長さと前記第４の延長部の長さとが等しいことを特徴とする。
請求項１０に記載の発明は、請求項１から９のいずれかに記載の液晶表示素子において、前記第１のスリットは、前記第１の延長部の長さが前記第２のスリットにおける前記第３の延長部の長さよりも長いことを特徴とする。
請求項１１に記載の発明は、請求項１から１０のいずれかに記載の液晶表示素子において、前記第１のスリットは、前記第１の延長部と前記屈曲部と前記第２の延長部とが直列的に連通していることを特徴とする。
【手続補正７】
【補正対象書類名】明細書
【補正対象項目名】００１１
【補正方法】変更
【補正の内容】
【００１１】
請求項１２に記載の発明は、第１の基板と第２の基板との間に配置された液晶層と、前記第１の基板に第１の層として形成され、データラインが延伸する方向に対して平行な方向に延伸する一辺を有し、薄膜トランジスタを介して前記データラインに電気的に接続される画素電極と、前記第１の基板に前記第１の層とは異なる第２の層として形成され、前記画素電極と重なる領域の少なくとも一部に第１のスリット及び第２のスリットが形成されている共通電極と、を備え、前記第１のスリットは、前記一辺が延伸する方向に対して傾斜した方向に延伸する第１の延長部と、前記一辺に対する角度が前記第１の延長部に対して対称な角度になる方向に延伸する第２の延長部と、前記第１の延長部と前記第２の延長部とを連通させる屈曲部と、を有し、前記第２のスリットは、前記第１の延長部に対して平行に形成された第３の延長部と、前記第２の延長部に対して平行に形成され前記第３の延長部とは分離された第４の延長部と、を有していることを特徴とする。
【手続補正８】
【補正対象書類名】明細書
【補正対象項目名】００１２
【補正方法】変更
【補正の内容】
【００１２】
請求項１３に記載の発明は、第１の基板と第２の基板との間に配置された液晶層と、前記第１の基板に第１の層として形成され、データラインが延伸する方向に対して平行な方向に延伸する一辺を有し、スイッチング素子を介して前記データラインに電気的に接続される第１の電極と、前記第１の基板に前記第１の層とは異なる第２の層として形成され、前記第１の電極と重なる領域の少なくとも一部に第１のスリット、第２のスリット及び第３のスリットが形成されている第２の電極と、を備え、前記第１のスリットは、前記一辺が延伸する方向に対して傾斜した方向に延伸する第１の延長部と、前記一辺に対する角度が前記第１の延長部に対して対称な角度になる方向に延伸する第２の延長部と、前記第１の延長部と前記第２の延長部とを連通させる第１の屈曲部と、を有し、前記第２のスリットは、前記第１の延長部に対して平行に且つ前記第１の延長部よりも短く形成された第３の延長部と、前記第２の延長部に対して平行に且つ前記第２の延長部よりも短く形成され前記第３の延長部とは分離されている第４の延長部と、を有し、前記第３のスリットは、前記第１の延長部に対して平行に且つ前記第１の延長部よりも短く形成された第５の延長部と、前記第２の延長部に対して平行に且つ前記第２の延長部よりも短く形成された第６の延長部と、前記第５の延長部と前記第６の延長部とを連通させる第２の屈曲部と、を有していることを特徴とする。
【手続補正９】
【補正対象書類名】明細書
【補正対象項目名】００１３
【補正方法】変更
【補正の内容】
【００１３】
請求項１４に記載の発明は、請求項１３に記載の液晶表示素子において、前記第１のスリットは、前記第２のスリットと前記第３のスリットとの間に配置されていることを特徴とする。
【手続補正１０】
【補正対象書類名】明細書
【補正対象項目名】００１４
【補正方法】変更
【補正の内容】
【００１４】
本発明によれば、画素の開口率を高めることができる。